(57)【要約】      （修正有）【課題】スムーズで確実に動作する、安全な缶体保護弁を提供すること。【解決手段】流入路１と、流出路２と、流入路１を封じるパッキン４と、パッキン４を流入路１にガイド５を介して固定するバネ６と、バネ６を調圧設定する調圧軸７と、外郭を形成するボディ３とを備え、パッキン４を抑えていない方のガイド５の端部を略円筒形状にし、ガイド５の略円筒形状の端部をバネ６に内挿したことにより、しっかりとバネとガイドとが固定されるため、パッキンと流入路との間に漏れが発生しにくくなる。【選択図】図１
2010151212.tif 000002
【特許請求の範囲】
【請求項１】
流入路と、流出路と、前記流入路を封じるパッキンと、前記パッキンを前記流入路にガイドを介して固定するバネと、前記バネを調圧設定する調圧軸と、外郭を形成するボディとを備え、前記パッキンを抑えていない方の前記ガイドの端部を略円筒形状にし、前記ガイドの略円筒形状の端部を前記バネに内挿したことを特徴とする缶体保護弁。
【請求項２】
前記ガイドの外周壁の一部、もしくは前記ガイドの外周壁の一部に対向して位置するボディの内壁に、複数個の突起形状を形成し、前記ガイドの外周壁の一部と前記ボディの内壁とは前記突起形状で当接することを特徴とする請求項１に記載の缶体保護弁。
【請求項３】
前記パッキンに対向して位置する前記ガイドの一部に空気を抜くための空気穴を備えたことを特徴とする請求項１または２に記載の缶体保護弁。
【請求項４】
前記ボディの内径寸法よりも、前記ガイドの長さ寸法を大きくしたことを特徴とする請求項１から３のいずれか１項に記載の缶体保護弁。
【発明の詳細な説明】
【技術分野】
【０００１】
本発明は、貯湯式給湯機の加圧破損を防止する缶体保護弁に関するものである。
【背景技術】
【０００２】
従来、ヒートポンプ式給湯機や電気温水器などの貯湯タンクを有する給湯機には、貯湯タンクの加圧破損を防止するために、圧力逃がし構造を有している。
【０００３】
図３は、従来の貯湯式給湯機の概略図である。図３に示すように、従来の貯湯式給湯機は、水を貯える貯湯タンク１０１と、給水源から減圧弁１０２を介して貯湯タンク１０１へ給水を行う給水配管１０３と、貯湯タンク１０１内の水を加熱する加熱手段（図示せず）と、加熱手段により沸き上げられた膨張水を貯湯タンク外へ排出する逃がし弁１０４と、減圧弁１０２または逃がし弁１０４の故障時に、貯湯タンク１０１内が所定圧力以上になると、貯湯タンク１０１外に水を排出する缶体保護弁１０５を有している（例えば、特許文献１参照）。
【０００４】
図４は、従来の貯湯式給湯機に備えられていた缶体保護弁の構成図である。図４に示すように、従来の缶体保護弁１０５は、外郭を形成するボディ２０１に、水が流入する流入路２０２および水が流出する流出路２０３が形成されており、流入路２０２と流出路２０３とはボディの内部で流路が繋がっている構成になっている。
【０００５】
そして流入路２０２と流出路２０３とを結ぶ流路内に、流入路２０２を覆うパッキン２０４を備えており、パッキン２０４はガイドである座金２０５を介して、バネ２０６で抑えられており、バネ２０６を調圧設定するための調圧軸２０７を有している。そして調圧軸２０７でバネ２０８の圧力設定を行い、流入路２０２からある一定の圧力（調圧軸２０７で設定したバネ２０８の圧力）以上が掛かったときに、パッキン２０４が動いて、流入路２０２から流出路２０３へと水を排出する。なお、座金２０５の形状は、図５に示すように、三角の突起部を有しており、極少ないポイントでボディ２０１と当接している。
【特許文献１】特開２００６−１３２８５９号公報
【発明の開示】
【発明が解決しようとする課題】
【０００６】
しかしながら、前記従来の缶体保護弁は、シール部であるパッキン２０４を調圧バネ２０６で、ただ強く押し付けているだけの構成であるため、流出路２０３の先端で凍結などで目詰まりや閉塞されると圧力バランスが崩れ、バネがパッキンを押し付けているバランスを崩し、その結果、パッキン２０４と流入路２０２との間に微小に漏れが発生し、湯水の漏れが止まらないという課題を有していた。また、一旦漏れるとバネが座屈したままで、元に戻りにくい。
【０００７】
本発明は、前記従来の課題を解決するもので、スムーズで確実に動作する、安全な缶体保護弁を提供することを目的とする。
【課題を解決するための手段】
【０００８】
前記従来の課題を解決するために、本発明の缶体保護弁は、流入路と、流出路と、流入路を封じるパッキンと、パッキンを流入路にガイドを介して固定するバネと、バネを調圧設定する調圧軸と、外郭を形成するボディとを備え、パッキンを抑えていない方のガイドの端部を略円筒形状にし、ガイドの略円筒形状の端部をバネに内挿したことにより、しっかりとバネとガイドとが固定されるため、パッキンと流入路との間に漏れが発生しにくく
なる。
【発明の効果】
【０００９】
本発明は、スムーズで確実に動作する、安全な缶体保護弁を提供することができる。
【発明を実施するための最良の形態】
【００１０】
第１の発明の缶体保護弁は、流入路と、流出路と、流入路を封じるパッキンと、パッキンを流入路にガイドを介して固定するバネと、バネを調圧設定する調圧軸と、外郭を形成するボディとを備え、パッキンを抑えていない方のガイドの端部を略円筒形状にし、ガイドの略円筒形状の端部をバネに内挿したことにより、しっかりとバネとガイドとが固定されるため、パッキンと流入路との間に漏れが発生しにくくなる。
【００１１】
第２の発明の缶体保護弁は、特に第１の発明において、ガイドの外周壁の一部、もしくはガイドの外周壁の一部に対向して位置するボディの内壁に、複数個の突起形状を形成し、ガイドの外周壁の一部とボディの内壁とは前記突起形状で当接することにより、ボディとガイドとの位置関係が決定され、ガイドが動きにくい構成となるため、パッキンと流入路との間に漏れがさらに発生しにくくなる。
【００１２】
第３の発明の缶体保護弁は、特に第１または第２の発明において、パッキンに対向して位置するガイドの一部に空気を抜くための空気穴を備えたことにより、ただ単にガイド部にパッキンを挿入しただけだと、内部の温度上昇等により、ガイドとパッキンとの隙間に発生した空気の膨張により、パッキンの浮きやはみ出しが生じるため、空気穴を設けることにより、それを防止することができる。
【００１３】
第４の発明の缶体保護弁は、特に第１から第３の発明において、ボディの内径寸法よりも、ガイドの長さ寸法を大きくしたことにより、傾いて挿入されることをなくす構造となる。
【００１４】
以下、本発明の実施の形態について、図面を参照しながら説明する。なお、この実施の形態によって本発明が限定されるものではない。
【００１５】
（実施の形態１）
図１は、本発明の実施の形態１における缶体保護弁の構成図である。図１に示すように、本発明の缶体保護弁は、水の流入路１および流出路２を有するボディ３で外郭が形成されている。流入路１は配管を通して高温水を貯えている貯湯タンク（図示せず）に接続される。また、流出路２側は外部空気に開放されている。流入路１と流出路２はボディ３内部の流路で繋がっており、貯湯タンク内の圧力が異常に高まった時に、流入路１から流出路２へ湯水が排出される構成となっている。
【００１６】
また、流入路１と流出路２とをつなぐ流路には、パッキン４が設けてあり、パッキン４で流入路１を覆う構成となっている。パッキン４は背面側からガイド５を介してバネ６で圧力が掛けられており、流入路１をパッキン４で覆っている。そのため、バネ６で掛けている圧力以上の水圧を流入路１の外側から掛けられると、バネ６が圧縮する方向に力が働き、流入路１から水が流入する。
【００１７】
次に、ガイド５の形状について説明する。図２（ａ）は、ガイド５の構成図である。図２（ａ）において、ガイド５のパッキン４側には、パッキン４の一部が内挿するような空間である凹部５１を有しており、パッキン４の背面側から押圧する平面部５２を備える。また、バネ６はコイル形状であり、内部に空間を有している。そこで本発明では、バネ６の内部の空間にガイド５の一部を内挿して、バネ６の振れ幅を小さくしている。そのため
ガイド５にはバネ６に内挿する凸部５３を有している。
【００１８】
また、パッキン４側の凹部５１から外部へ空気を逃がすための流路である空気穴５４を設けており、内部の温度上昇等により、ガイド５とパッキン４との隙間に発生した空気の膨張により、パッキンの浮きやはみ出しが生じることを防止している。
【００１９】
また、図２（ｂ）は、図２（ａ）のＸ方向からの正面図である。図２（ｂ）に示すように、ボディ３とガイド５とが当接する箇所には、複数個の突起形状５５を有しており、ボディ３とガイド５との位置関係が決定され、ガイドが動きにくい構成となる。なお、図２（ｂ）はガイド５側の一部に突起形状５５を設けたが、これに限定されることはなく、図２（ｃ）に示すように、ガイド５の外周壁の一部に対向して位置するボディ３の内壁に、複数個の突起形状を設けてもよい。
【００２０】
また、ガイド５の長さ寸法Ａは、ボディ３の内径寸法Ｂよりも長く構成している。このように構成することで、ガイド５が傾いてボディ３内に挿入されることを防止している。
【００２１】
また、バネ６にはバネ圧を調節するための調圧軸７を有している。この調圧軸７でバネ圧を調節することで、どれくらいの水圧が掛かったときにバネが動作して、流入口１から流出口２へ水を逃がすかを設定している。
【００２２】
以上のように構成された缶体保護弁が取り付けられた貯湯式給湯機は、通常のタンク内の圧力は、逃し弁や減圧弁で調節されているが、これらの部品が故障した際には、流入口１に調圧軸７で設定した以上の圧力が掛かるようになり、その結果、パッキン４がバネ６方向に押され、流入口１から流出口２へと水を逃がすように動作する。
【産業上の利用可能性】
【００２３】
以上のような、本発明に係る缶体保護弁は、電気ヒーターやヒートポンプユニットといった加熱手段を備え、貯湯タンクを有する貯湯式給湯機に適用することができる。
【図面の簡単な説明】
【００２４】
【図１】本発明の実施の形態１における缶体保護弁の構成図
【図２】（ａ）同実施の形態１におけるガイドの構成図（ｂ）Ｘ方向正面図（Ｃ）Ｘ方向正面図（別形態図）
【図３】従来の貯湯式給湯機の構成図
【図４】従来の缶体保護弁の構成図
【図５】従来のガイドの正面図
【符号の説明】
【００２５】
１  流入口
２  流出口
３  ボディ
４  パッキン
５  ガイド
６  バネ
７  調圧軸
【図１】
2010151212.tif 000003
【図４】
2010151212.tif 000004
【図５】
2010151212.tif 000005
【図２】
2010151212.tif 000006
【図３】
2010151212.tif 000007